(57)【要約】【課題】動力を１つにして装置全体を小型化し、消費電力を少なく抑えることができるとともに、空気の清浄効率及びエッセンシャルオイルの拡散効率を高くすることができる電気芳香拡散機の提供。【解決手段】エッセンシャルオイルを含んだ水を貯留するタンクと、このタンク内に設けられ該タンクに貯留された水を下端開口部から吸い上げる吸水管と、吸水管の上端開口部を塞ぐように設けられた円板及び該円板上に放射状に一体に設けられた複数のフィンからなり前記タンク内に空気を吸引導入するファン羽根と、吸水管において円板との接続部近傍に形成された噴出口と、ファン羽根を回転させる電気モータと、ファン羽根の上方に設けられタンク内に空気を導入する空気導入路と、ファン羽根の上方に設けられタンク内の空気を排出する空気排出路とを備えたことを特徴とする。【選択図】  図１
2004147799.tif 000002
【特許請求の範囲】
【請求項１】
アロマテラピー用のエッセンシャルオイルを含んだ水を貯留するタンクと、このタンク内に設けられ該タンクに貯留された水を下端開口部から吸い上げる吸水管と、この吸水管の上端開口部を塞ぐように設けられた円板及び該円板上に放射状に一体に設けられた複数のフィンからなり前記タンク内に空気を吸引導入するファン羽根と、前記吸水管において前記円板との接続部近傍に形成された噴出口と、前記ファン羽根を回転させる電気モータと、前記ファン羽根の上方に設けられ前記タンク内に空気を導入する空気導入路と、前記ファン羽根の上方に設けられ前記タンク内の空気を排出する空気排出路とを備え、前記ファン羽根の回転によって前記噴出口にベンチュリー効果を生じさせ、前記貯留された水を前記吸水管を通じて前記噴出口から噴出させてタンク内に水幕を形成し、この水幕にタンク内の空気を接触させることで空気を清浄するとともに空気にエッセンシャルオイルの成分を含ませることを特徴とする電気芳香拡散機。
【請求項２】
前記円板と吸水管は相互に着脱可能となっていることを特徴とする請求項１に記載の電気芳香拡散機。
【請求項３】
エッセンシャルオイルを種類別に入れた複数の容器を載置するための容器載置部が設けられていることを特徴とする請求項１に記載の電気芳香拡散機。
【請求項４】
前記エッセンシャルオイルは、マイナスイオンを発生可能なオイルであることを特徴とする請求項１に記載の電気芳香拡散機。
【請求項５】
前記蓋体は帽子状となっており、該蓋体の内面が、前記電動モータを収容保持する座体に形成された隔壁の縁部に密着し、蓋体と座体の間に互いに隔絶された前記空気導入路と空気排出路が形成されることを特徴とする請求項１に記載の電気芳香拡散機。
【請求項６】
前記電動モータを収容保持する座体の底面部に形成された軸体挿通孔は、電動モータの出力軸より径が大きく、その隙間が前記空気導入路の一部を形成していることを特徴とする請求項１に記載の電気芳香拡散機。
【請求項７】
前記吸水管の内面に、該吸水管の軸長方向に略沿って延びる導流条が突設されていることを特徴とする請求項１に記載の電気芳香拡散機。
【請求項８】
前記吸水管の下端開口部は、該吸水管の中心線上にあることを特徴とする請求項１に記載の電気芳香拡散機。
【請求項９】
前記噴出口は、前記ファン羽根に近接し相対していることを特徴とする請求項１に記載の電気芳香拡散機。
【請求項１０】
前記吸水管は、下端から上端にかけて次第に径が大きくなる円錐台筒部と、この円錐台筒部の上端から外側に湾曲して延出する拡開部とを有して全体としてラッパ形をなし、この拡開部が前記ファン羽根の円板に接続されることを特徴とする請求項１に記載の電気芳香拡散機。
【請求項１１】
前記拡開部には複数の突起状係止部と、切欠状の複数の噴出口が形成され、前記突起状係止部は、ファン羽根の円板に形成された係合孔に着脱可能に係合することを特徴とする請求項１０に記載の電気芳香拡散機。
【発明の詳細な説明】
【０００１】
【発明の属する技術分野】
本発明は電気芳香拡散機に関し、より詳しくは、動力を１つにして装置全体を小型化し、消費電力を少なく抑えることができるとともに、空気の清浄効率及びエッセンシャルオイルの拡散効率を高くすることができる電気芳香拡散機に関する。
【０００２】
【従来の技術】
近年、心身のリラクゼーション、美容、健康促進のための手段としてアロマテラピーが注目されている。アロマテラピーには、エッセンシャルオイルを室内の空気中に拡散する方法があり、その拡散装置としては、例えば、空気を水で濾過する方式の空気清浄機を用いることがあった。
その空気清浄機の例としては、電気モータファンを利用して空気を装置内部に取り入れ、装置内部にある水にその空気を吹き付けることにより空気を浄化する装置（特許文献１参照）や、ポンプを利用して装置内に水幕を形成し、装置内で流動させている空気を前記水幕に通すことにより空気を浄化する装置（特許文献２参照）があり、水の中に予めエッセンシャルオイルを混ぜておくことにより、空気排出口から芳香を含んだ清浄空気が出る。
【０００３】
【特許文献１】
台湾特許第３６５１９６号
【特許文献２】
台湾特許第３２７７９８号
【０００４】
【発明が解決しようとする課題】
しかしながら、特許文献１に記載の装置は、静止した水に空気を吹き掛けるものであり、これは水幕によって空気を清浄するものより、空気に芳香を含ませる効率が悪かった。
特許文献２に記載の装置は、空気に芳香を含ませる効率は良いが、ポンプで水をくみ上げるための動力と、送風機を使用して空気を水幕に通すための動力、の計２つの動力が必要であった。これは、装置の大型化と、電力の大量消費を招くものであった。
【０００５】
本発明は、このような実情に鑑みてなされたもので、動力を１つにして装置全体を小型化し、消費電力を少なく抑えることができるとともに、空気の清浄効率及びエッセンシャルオイルの拡散効率を高くすることができる電気芳香拡散機の提供を目的とする。
【０００６】
【課題を解決するための手段】
請求項１記載の発明は、アロマテラピー用のエッセンシャルオイルを含んだ水を貯留するタンクと、このタンク内に設けられ該タンクに貯留された水を下端開口部から吸い上げる吸水管と、この吸水管の上端開口部を塞ぐように設けられた円板及び該円板上に放射状に一体に設けられた複数のフィンからなり前記タンク内に空気を吸引導入するファン羽根と、前記吸水管において前記円板との接続部近傍に形成された噴出口と、前記ファン羽根を回転させる電気モータと、前記ファン羽根の上方に設けられ前記タンク内に空気を導入する空気導入路と、前記ファン羽根の上方に設けられ前記タンク内の空気を排出する空気排出路とを備え、前記ファン羽根の回転によって前記噴出口にベンチュリー効果を生じさせ、前記貯留された水を前記吸水管を通じて前記噴出口から噴出させてタンク内に水幕を形成し、この水幕にタンク内の空気を接触させることで空気を清浄するとともに空気にエッセンシャルオイルの成分を含ませることを特徴とする電気芳香拡散機である。
【０００７】
請求項２記載の発明は、前記円板と吸水管は相互に着脱可能となっていることを特徴とする請求項１に記載の電気芳香拡散機である。
請求項３記載の発明は、エッセンシャルオイルを種類別に入れた複数の容器を載置するための容器載置部が設けられていることを特徴とする請求項１に記載の電気芳香拡散機である。
請求項４記載の発明は、前記エッセンシャルオイルは、マイナスイオンを発生可能なオイルであることを特徴とする請求項１に記載の電気芳香拡散機である。
請求項５記載の発明は、前記蓋体は帽子状となっており、該蓋体の内面が、前記電動モータを収容保持する座体に形成された隔壁の縁部に密着し、蓋体と座体の間に互いに隔絶された前記空気導入路と空気排出路が形成されることを特徴とする請求項１に記載の電気芳香拡散機である。
請求項６記載の発明は、前記電動モータを収容保持する座体の底面部に形成された軸体挿通孔は、電動モータの出力軸より径が大きく、その隙間が前記空気導入路の一部を形成していることを特徴とする請求項１に記載の電気芳香拡散機である。
請求項７記載の発明は、前記吸水管の内面に、該吸水管の軸長方向に略沿って延びる導流条が突設されていることを特徴とする請求項１に記載の電気芳香拡散機である。
請求項８記載の発明は、前記吸水管の下端開口部は、該吸水管の中心線上にあることを特徴とする請求項１に記載の電気芳香拡散機である。
請求項９記載の発明は、前記噴出口は、前記ファン羽根に近接し相対していることを特徴とする請求項１に記載の電気芳香拡散機である。
請求項１０記載の発明は、前記吸水管は、下端から上端にかけて次第に径が大きくなる円錐台筒部と、この円錐台筒部の上端から外側に湾曲して延出する拡開部とを有して全体としてラッパ形をなし、この拡開部が前記ファン羽根の円板に接続されることを特徴とする請求項１に記載の電気芳香拡散機である。
請求項１１記載の発明は、前記拡開部には複数の突起状係止部と、切欠状の複数の噴出口が形成され、前記突起状係止部は、ファン羽根の円板に形成された係合孔に着脱可能に係合することを特徴とする請求項１０に記載の電気芳香拡散機である。
これらの発明を提供することにより、上記課題を悉く解決する。
【０００８】
【発明の実施の形態】
本発明の実施形態について、図面を参照しつつ説明する。
図１は、本発明に係る電気芳香拡散機を示す斜視図である。図２は、図１に示す電気方向拡散機の分解斜視図である。図３は、本発明におけるベンチュリー効果発生部を示す斜視図である。図４は、図１における４−４線断面図である。図５は、図１における５−５線断面図である。
【０００９】
本発明に係る電気芳香拡散機（１）は、タンク（２）と、吸水管（３）と、ファン羽根（４）と、噴出口（５）と、電気モータ（６）と、空気導入路（７）と、空気排出路（８）とを備えている。
【００１０】
この電気芳香拡散機（１）は、ファン羽根（４）の回転によって噴出口（５）にベンチュリー効果を生じさせ、タンク（２）内に貯留された水を吸水管（３）を通じて噴出口（５）から噴出させてタンク（２）内に水幕を形成し、この水幕にタンク（２）内の空気を接触させることで空気を清浄するとともに空気にエッセンシャルオイルの成分を含ませる。
以下、これら構成要素について詳説する。
【００１１】
タンク（２）は、アロマテラピー用のエッセンシャルオイルを含んだ水を貯留するものである。このタンク（２）は上端に円形の開口部（９）を有しており、この開口部（９）からファン羽根（４）及び吸水管（３）が挿入されている。
【００１２】
吸水管（３）は、タンク（２）内に設けられ、該タンク（２）に貯留された水を下端開口部（３２）から吸い上げるものである。この吸水管（３）は、下端から上端にかけて次第に径が大きくなる円錐台筒部（１０）と、この円錐台筒部（１０）の上端から外側に湾曲して延出する拡開部（１１）とを有しており、全体としてラッパ形をなしている。拡開部（１１）には複数の突起状係止部（１２）と、切欠状の複数の噴出口（５）が形成されている。
円錐台筒部（１０）の外周面には、図３（ｃ）に示す如く、その周方向に相互に間隔をあけて該円錐台筒部（１０）の軸長方向に沿って延びる複数の攪拌羽根（３４）を設けてもよいし、或いは図３（ｂ）に示す如くその羽根を受けなくてもよい。攪拌羽根（３４）を設けた場合、タンク（２）内の水とエッセンシャルオイルを十分に攪拌し、エッセンシャルオイルの濃度を均一にすることができる。
【００１３】
突起状係止部（１２）は、ファン羽根（４）の円板（１３）に形成された係合孔（１４）に着脱可能に係合し、吸水管（３）とファン羽根（４）の円板（１３）を接続する。
噴出口（５）は、吸水管（３）における円板（１３）との接続部近傍に形成され、ベンチュリー効果によって吸水管（３）内を上昇してきた水を外向きに噴出する。ファン羽根（４）が回転すると、タンク（２）内に空気が一旦吸い込まれ、このときに噴出口（５）付近に生じた負圧によってタンク下部に貯留された水が噴出口（５）に向かって上昇し、噴出口（５）から噴出される。噴出口（５）は回転しているから、タンク（２）内に水幕が形成され、この水幕がタンク（２）内の空気を清浄し、更に、空気にエッセンシャルオイルの有効成分を含ませる。
【００１４】
吸水管（３）の内面には、その軸長方向に沿って１本或いは複数本の導流条（１５）が隆起形成されている。吸水管（３）が回転すると、管内には導流条（１５）によって乱気流が生み出され、管内の空気は上向きに押し出される。
【００１５】
ファン羽根（４）は、吸水管（３）の上端開口部（３３）を塞ぐように設けられた円板（１３）と、該円板（１３）上に放射状に一体に設けられた複数のフィン（１６）とからなり、回転することでタンク（２）内に空気を吸引導入するものである。円板（１３）には係合孔（１４）が形成され、この孔と突起状係止部（１２）が係合することで、ファン羽根（４）と吸水管（３）は着脱可能に接続される。
ファン羽根（４）の中央部には軸挿入孔（１７）が形成されており、この軸挿入孔（１７）に電気モータ（６）の出力軸（１８）が接続される。
【００１６】
空気導入路（７）は、ファン羽根（４）の上方に設けられタンク（２）内に空気を導入するものである。この空気導入路（７）は、電気モータ（６）を収容保持する座体（１９）の底面部に形成された出力軸挿通孔（２０）と、座体（１９）の内部空間（２７）と、座体（１９）をカバーする蓋体（２１）の第１内部空間（２２）と、蓋体（２１）に形成された空気導入口（２３）とからなる。
空気排出路（８）は、ファン羽根（４）の上方に設けられタンク（２）内の空気を排出するものである。この空気排出路（８）は、座体（１９）の基部（２４）に形成された通風口（２５）と、蓋体（２１）の第２内部空間（２６）と、蓋体（２１）に形成された空気排出口（２８）とからなる。
蓋体（２１）の第１内部空間（２２）と第２内部空間（２６）は、座体（１９）の基部（２４）から直立する隔壁（２９）により隔絶される。
【００１７】
尚、この拡散機（１）には、エッセンシャルオイルを種類別に入れた複数の容器（３０）を載置するための容器載置部（３１）が設けられていることが好ましい。
エッセンシャルオイルの種類は特に限定されるものではないが、マイナスイオンを発生可能なオイルであることが好ましい。
【００１８】
次に、本発明に係る電気芳香拡散機（１）の使用方法について説明する。
蓋体（２１）、座体（１９）を一旦取り外し、タンク（２）内の所定の高さまで水を入れ、この水にエッセンシャルオイルを混入する。水は、吸水管（３）の下端が浸かる位の水位まで入れる。これが済んだら、蓋体（２１）と座体（１９）をタンク（２）に装着する。
【００１９】
電気モータ（６）を作動させ、ファン羽根（４）を回転させると、タンク（２）内に室内の空気が導入される。エッセンシャルオイルを含んだ水は、吸水管（３）内を上昇し、噴出口（５）から噴出する。噴出した水は水幕を形成し、タンク（２）内の空気と接触してこの空気を清浄するとともに、エッセンシャルオイルの芳香成分を空気に含ませる。芳香成分を含んだ清浄空気はかなりの量のマイナスイオンを含み、電気芳香拡散機（１）から排出される。
これによって、効率よくアロマテラピーがなされる。また、電気モータ（６）が１個で済むので、拡散機全体を小型化することができる。
【００２０】
【実施例】
以下、本発明の実施例を紹介することにより本発明の効果をより明確にする。
ここでは、本発明に係る電気芳香拡散機による芳香拡散実験を行った。尚、本発明で使用されるエッセンシャルオイルは以下のものに限定されない。
＜試験方法＞
所定の高さまで水（活性炭使用の市販浄水器を通した水）１，７００ｃｃを入れたタンクを６個用意し、各タンク内の水に以下の第１実施例乃至第６実施例に係る６種類の専用エッセンシャルオイルを個別に混入した。混入は、エッセンシャルオイルを２０滴入れることにより行った（１滴は０．０１〜０．１ｃｃ）。これらのタンクを順次電気芳香拡散機に装着し、それぞれについて、拡散機を一定時間作動させた後に室内空気のマイナスイオンの個数（個／ｃｍ３）及びエッセンシャルオイル混入溶液のｐＨを測定した。
尚、モータの作動時間は各実施例ともに１分間であった。
マイナスイオンの個数は、拡散機停止直後、１分後、３分後について測定した。その中での最高値と、それらの平均値を後記の表１に示す。
ｐＨについても、拡散機停止直後、１分後、３分後について測定した。それらの平均値を後記の表１に示す。
【００２１】
エッセンシャルオイルの詳細を以下に示す。
＜エッセンシャルオイルの種類＞
（第１実施例）
調合：▲１▼▲２▼を主として調合
▲１▼イランイラン（Ｃａｎａｇａ  ｏｄｏｒａｔａ）の花の抽出物
▲２▼ネズ（Ｊｕｎｉｐｅｒｕｓ  ｃｏｍｍｎｉｓ）の実の抽出物
【００２２】
（第２実施例）
調合：▲１▼▲２▼を主として調合
▲１▼ヒノキ（Ｃｈａｍａｅｃｙｐａｒｉｓ  Ｏｂｔｕｓａ  Ｅｎｄｌ）の葉・枝の抽出物
▲２▼レモングラース（Ｃｙｍｂｏｐｏｇｏｎ  ｃｉｔｒａｔｕｓ）の葉の抽出物
【００２３】
（第３実施例）
調合：▲１▼▲２▼を主として調合
▲１▼レンゲソウ（Ａｓｔｒｅｇａｌｕｓｓｉｎｉｃｕｓ  Ｌ．）の全草・種子の抽出物
▲２▼クラリセージ（Ｓａｌｖｉａ  ｓｃｌａｒｅａ）の葉・花の抽出
【００２４】
（第４実施例）
調合：▲１▼▲２▼を主としてを調合
▲１▼マジョラム（Ｏｒｉｇａｎｕｍ  ｍａｊｏｒａｎａ）の葉・花の先端部分の抽出物
▲２▼ベルガモット（Ｃｉｔｒｕｓ  ｂｅｒｇａｍｉａ）の果皮の抽出物
【００２５】
（第５実施例）
調合：▲１▼▲２▼を主として調合
▲１▼ブラックペッパー（Ｐｉｐｅｒ  ｎｉｇｒｕｍ）の果実の抽出物
▲２▼フェンネル（Ｆｏｅｎｉｃｕｌｕｍ  Ｖｕｌｒａｒｅ）の種子の抽出物
【００２６】
（第６実施例）
調合：▲１▼▲２▼を主として調合
▲１▼オレンジ（Ｃｉｔｒｕｓ  ａｕｒａｎｔｈｉｕｍ）の果皮の抽出物
▲２▼ネロリ（Ｃｉｔｒｕｓ  ｕｎｌｇａｒｉｓ）の花弁の抽出物
【００２７】
比較例について以下に説明する。
（比較例）
活性炭使用の市販浄水器を通した水（１，７００ｃｃ）。混入物はなし。
【００２８】
試験結果を表１に示し、表１の数値を棒グラフで表したものを図６に示す。尚、電気芳香拡散機を使用しない状態で室内空気のマイナスイオン数を測定すると、イオン数の平均値は、２００〜３００（個／ｃｍ３）であった。
【表１】
2004147799.tif 000003
【００２９】
表１、図６に示す結果からわかるように、本発明に係る電気芳香拡散機を用いて空気を浄化すると、空気中のマイナスイオン数が大幅に増大する。また、エッセンシャルオイルを混入した水を用いてそのオイルの有効成分を空気中に拡散させると、更にマイナスイオン数が増大する。
マイナスイオンは細胞を活性化させるので、その数を増大させることで、精神安定、免疫力向上、老廃物の排出、自然治癒力の促進を図ることができる。また、本発明においては、エッセンシャルオイルの有効成分がマイナスイオンの数を更に増大させるので、心身の健康増進をより一層図ることができる。
【００３０】
【発明の効果】
本発明によれば、動力を１つにして装置全体を小型化し、消費電力を少なく抑えることができるとともに、空気の清浄効率及びエッセンシャルオイルの拡散効率を高くすることができる電気芳香拡散機を提供することができる。
【図面の簡単な説明】
【図１】本発明に係る電気芳香拡散機を示す斜視図である。
【図２】図１に示す電気方向拡散機の分解斜視図である。
【図３】本発明におけるベンチュリー効果発生部を示す斜視図である。
【図４】図１における４−４線断面図である。
【図５】図１における５−５線断面図である。
【図６】マイナスイオンの増加の程度を示すグラフである。
【符号の説明】
１・・・・・電気芳香拡散機
２・・・・・タンク
３・・・・・吸水管
４・・・・・ファン羽根
５・・・・・噴出口
６・・・・・電気モータ
７・・・・・空気導入路
８・・・・・空気排出路
１０・・・・円錐台筒部
１１・・・・拡開部
１２・・・・突起状係止部
１３・・・・円板
１４・・・・係合孔
１５・・・・導流条
１６・・・・フィン
１８・・・・出力軸
１９・・・・座体
２０・・・・軸体挿通孔
２９・・・・隔壁
３１・・・・容器載置部
【図１】
2004147799.tif 000004
【図２】
2004147799.tif 000005
【図３】
2004147799.tif 000006
【図４】
2004147799.tif 000007
【図５】
2004147799.tif 000008
【図６】
2004147799.tif 000009